【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
マルチキャストサービスを介したグループ通信のための方法であって、
登録要求をユーザ機器(UE)からサーバに送るステップであって、前記登録要求は、前記UEが関心を抱く1つまたは複数の通信グループを示し、場合によっては、グループ通信サービス用のサーバを登録する前記UEの意図を含む、ステップと、
あらかじめ確立されたマルチキャストリソースが割り当てられた前記1つまたは複数の通信グループの組を示すメッセージを前記サーバから受信するステップであって、前記あらかじめ確立されたマルチキャストリソースは、マルチメディアブロードキャスト/マルチキャストサービス(MBMS)ベアラを含む、ステップと、
前記サーバから1つまたは複数の呼識別子を受信するステップであって、前記1つまたは複数の呼識別子は、前記1つまたは複数の通信グループの前記組における各通信グループのグループ識別子にマッピングされる、ステップと、
前記1つまたは複数の通信グループの前記組における各通信グループの前記グループ識別子への前記1つまたは複数の呼識別子のマッピングを記憶するステップと、
前記1つまたは複数の通信グループの前記組に関する1つまたは複数のグループ呼セッションを維持するステップとを含み、
前記サーバは、前記あらかじめ確立されたマルチキャストリソースに複数のグループ呼を割り当てる、方法。
【請求項２】
前記1つまたは複数のグループ呼セッションを維持するステップは、呼状態情報を維持するステップを含む、請求項1に記載の方法。
【請求項３】
前記1つまたは複数の通信グループの前記組に関する1つのグループ呼セッションを維持するステップをさらに含む、請求項1に記載の方法。
【請求項４】
前記UEが、あらかじめ確立されたグループ呼に関してプロビジョニングされていると判定するステップをさらに含む、請求項1に記載の方法。
【請求項５】
前記サーバに呼要求を送るステップであって、前記呼要求は、前記1つまたは複数の通信グループの前記組のうちの1つの通信グループに対応する呼識別子を含む、ステップをさらに含む、請求項1に記載の方法。
【請求項６】
通信グループのグループ呼を確立するための要求を受信するステップと、
前記通信グループのグループ識別子を判定するステップと、
前記グループ識別子に基づいて前記呼識別子を判定するステップとをさらに含む、請求項5に記載の方法。
【請求項７】
前記呼要求は、グループ呼を開始するための要求を含む、請求項5に記載の方法。
【請求項８】
前記グループ呼はプッシュツートーク呼を含む、請求項7に記載の方法。
【請求項９】
前記1つまたは複数の通信グループの前記組のうちの1つに関する情報をアイドル状態の呼を扱うプロセスに追加するステップをさらに含む、請求項5に記載の方法。
【請求項１０】
前記1つまたは複数の呼識別子は、共通の一時モバイルグループ識別子(TMGI)上にマッピングされる、請求項1に記載の方法。
【請求項１１】
マルチキャストサービスを介したグループ通信のための方法であって、
ユーザ機器(UE)から登録要求を受信するステップであって、前記登録要求は、前記UEが関心を抱く1つまたは複数の通信グループを示す、ステップと、
前記UEが、あらかじめ確立されたグループ呼に関してプロビジョニングされていると判定するステップと、
前記1つまたは複数の通信グループのグループ識別子を取り出すステップと、
前記1つまたは複数の通信グループの組における各通信グループの前記グループ識別子に1つまたは複数の呼識別子をマッピングするステップと、
前記1つまたは複数の通信グループの前記組および前記1つまたは複数のマッピングされた呼識別子を示すメッセージを前記UEに送るステップと、
前記1つまたは複数のあらかじめ確立されたマルチキャストリソース上に複数のグループ呼を割り当てるステップであって、前記1つまたは複数のあらかじめ確立されたマルチキャストリソースは、マルチメディアブロードキャスト/マルチキャストサービス(MBMS)ベアラを含む、ステップとを含み、
前記UEは、前記1つまたは複数の通信グループの前記組に関する1つまたは複数のグループ呼セッションを維持する、
方法。
【請求項１２】
前記1つまたは複数の通信グループの前記組のための1つまたは複数のマルチキャストリソースをあらかじめ確立するステップをさらに含む、請求項11に記載の方法。
【請求項１３】
前記1つまたは複数のあらかじめ確立されたマルチキャストリソース上に複数のグループ呼を割り当てる前記ステップは、前記1つまたは複数のあらかじめ確立されたマルチキャストリソース上で前記複数のグループ呼を多重化するステップを含む、請求項11に記載の方法。
【請求項１４】
前記1つまたは複数の通信グループの前記組および前記1つまたは複数のマッピングされた呼識別子を示す前記メッセージを前記UEに送るステップをさらに含む、請求項11に記載の方法。
【請求項１５】
前記UEが前記1つまたは複数のグループ呼セッションを維持するステップは、前記UEが呼状態情報を維持するステップを含み、サーバが呼状態情報を維持する、請求項11に記載の方法。
【請求項１６】
前記UEから呼要求を受信するステップであって、前記呼要求は、サーバによって提供される呼識別子を含むステップと、
前記呼識別子に基づいて通信グループの参加者のリストを特定するステップと、
参加者の前記リストに呼通知を送信するステップとをさらに含む、請求項11に記載の方法。
【請求項１７】
前記UEからフロア要求を受信するステップであって、前記フロア要求は、呼識別子を含む、ステップをさらに含む、請求項16に記載の方法。
【請求項１８】
前記呼要求は、グループ呼を開始するための要求を含む、請求項16に記載の方法。
【請求項１９】
前記グループ呼はプッシュツートーク呼を含む、請求項18に記載の方法。
【請求項２０】
前記呼要求に対応するグループ呼を前記1つまたは複数のあらかじめ確立されたマルチキャストリソース上で多重化できるか否かを判定するステップをさらに含む、請求項16に記載の方法。
【請求項２１】
前記通信グループに関する情報を、あらかじめ確立されたすべてのアイドル状態のグループ呼を扱う多重化されたプロセスに追加するステップをさらに含む、請求項16に記載の方法。
【請求項２２】
ハングタイマの満了時に前記1つまたは複数のあらかじめ確立されたマルチキャストリソースを解放するステップと、
多重化されたアイドル状態の呼処理に割当てプロセスを再割当てするステップをさらに含む、請求項11に記載の方法。
【請求項２３】
前記1つまたは複数の呼識別子は、共通の一時モバイルグループ識別子(TMGI)上にマッピングされる、請求項11に記載の方法。
【請求項２４】
マルチキャストサービスを介したグループ通信のための装置であって、
登録要求をユーザ機器(UE)からサーバに送るように構成された論理であって、前記登録要求は、前記UEが関心を抱く1つまたは複数の通信グループを示し、場合によっては、グループ通信サービス用のサーバを登録する前記UEの意図を含む、論理と、
あらかじめ確立されたマルチキャストリソースが割り当てられた前記1つまたは複数の通信グループの組を示すメッセージを前記サーバから受信するように構成された論理であって、前記あらかじめ確立されたマルチキャストリソースは、マルチメディアブロードキャスト/マルチキャストサービス(MBMS)ベアラを含む、論理と、
前記サーバから1つまたは複数の呼識別子を受信するように構成された論理であって、前記1つまたは複数の呼識別子は、前記1つまたは複数の通信グループの前記組における各通信グループのグループ識別子にマッピングされる、論理と、
前記1つまたは複数の通信グループの前記組における各通信グループの前記グループ識別子への前記1つまたは複数の呼識別子のマッピングを記憶するように構成された論理と、
前記1つまたは複数の通信グループの前記組に関する1つまたは複数のグループ呼セッションを維持するように構成された論理とを備え、
前記サーバは、前記あらかじめ確立されたマルチキャストリソースに複数のグループ呼を割り当てる、装置。
【請求項２５】
前記1つまたは複数のグループ呼セッションを維持するように構成された前記論理は、呼状態情報を維持するように構成された論理を備える、請求項24に記載の装置。
【請求項２６】
前記1つまたは複数の通信グループの前記組に関する1つまたは複数のグループ呼セッションを維持するように構成された論理をさらに備える、請求項24に記載の装置。
【請求項２７】
前記UEが、あらかじめ確立されたグループ呼に関してプロビジョニングされていると判定するように構成された論理をさらに備える、請求項24に記載の装置。
【請求項２８】
前記サーバに呼要求を送るように構成された論理であって、前記呼要求は、前記1つまたは複数の通信グループの前記組のうちの1つの通信グループに対応する呼識別子を含む、論理をさらに備える、請求項24に記載の装置。
【請求項２９】
通信グループのグループ呼を確立するための要求を受信するように構成された論理と、
前記通信グループのグループ識別子を判定するように構成された論理と、
前記グループ識別子に基づいて前記呼識別子を判定するように構成された論理とをさらに備える、請求項28に記載の装置。
【請求項３０】
前記呼要求は、グループ呼を開始するための要求を含む、請求項28に記載の装置。
【請求項３１】
前記グループ呼はプッシュツートーク呼を含む、請求項30に記載の装置。
【請求項３２】
前記1つまたは複数の通信グループのうち1つに関する情報をアイドル状態の呼を扱うプロセスに追加するように構成された論理をさらに備える、請求項28に記載の装置。
【請求項３３】
前記1つまたは複数の呼識別子は、共通の一時モバイルグループ識別子(TMGI)上にマッピングされる、請求項24に記載の装置。
【請求項３４】
マルチキャストサービスを介したグループ通信のための装置であって、
ユーザ機器(UE)から登録要求を受信するように構成された論理であって、前記登録要求は、前記UEが関心を抱く1つまたは複数の通信グループを示す、論理と、
前記UEが、あらかじめ確立されたグループ呼に関してプロビジョニングされていると判定するように構成された論理と、
前記1つまたは複数の通信グループのグループ識別子を取り出すように構成された論理と、
前記1つまたは複数の通信グループの組における各通信グループの前記グループ識別子に1つまたは複数の呼識別子をマッピングするように構成された論理と、
前記1つまたは複数の通信グループの前記組および前記1つまたは複数のマッピングされた呼識別子を示すメッセージを前記UEに送るように構成された論理と、
前記1つまたは複数のあらかじめ確立されたマルチキャストリソース上に複数のグループ呼を割り当てるように構成された論理であって、前記1つまたは複数のあらかじめ確立されたマルチキャストリソースは、マルチメディアブロードキャスト/マルチキャストサービス(MBMS)ベアラを含む、論理とを備え、
前記UEは、前記1つまたは複数の通信グループの前記組に関する1つまたは複数のグループ呼セッションを維持する装置。
【請求項３５】
前記1つまたは複数の通信グループの前記組のための1つまたは複数のマルチキャストリソースをあらかじめ確立するように構成された論理をさらに備える、請求項34に記載の装置。
【請求項３６】
前記1つまたは複数のあらかじめ確立されたマルチキャストリソース上に複数のグループ呼を割り当てるように構成された前記論理は、前記1つまたは複数のあらかじめ確立されたマルチキャストリソース上で前記複数のグループ呼を多重化するように構成された論理を備える、請求項34に記載の装置。
【請求項３７】
前記1つまたは複数の通信グループの前記組および前記1つまたは複数のマッピングされた呼識別子を示す前記メッセージを1つまたは複数の目標UEに送るように構成された論理をさらに備える、請求項34に記載の装置。
【請求項３８】
前記UEが前記1つまたは複数のグループ呼セッションを維持することは、前記UEが呼状態情報を維持することを含み、サーバが呼状態情報を維持する、請求項34に記載の装置。
【請求項３９】
前記UEから呼要求を受信するように構成された論理であって、前記呼要求は、サーバによって提供される呼識別子を含む、論理と、
前記呼識別子に基づいて通信グループの参加者のリストを特定するように構成された論理と、
参加者の前記リストに呼通知を送信するように構成された論理とをさらに備える、請求項34に記載の装置。
【請求項４０】
前記UEからフロア要求を受信するように構成された論理であって、前記フロア要求は呼識別子を含む、論理をさらに備える、請求項39に記載の装置。
【請求項４１】
前記呼要求は、グループ呼を開始するための要求を含む、請求項39に記載の装置。
【請求項４２】
前記グループ呼はプッシュツートーク呼を含む、請求項41に記載の装置。
【請求項４３】
前記呼要求に対応するグループ呼を前記1つまたは複数のあらかじめ確立されたマルチキャストリソース上で多重化できるか否かを判定するように構成された論理をさらに含む、請求項39に記載の装置。
【請求項４４】
前記通信グループに関する情報を、あらかじめ確立されたすべてのアイドル状態のグループ呼を扱う多重化されたプロセスに追加するように構成された論理をさらに備える、請求項39に記載の装置。
【請求項４５】
ハングタイマの満了時に前記1つまたは複数のあらかじめ確立されたマルチキャストリソースを解放するように構成された論理と、
多重化されたアイドル状態の呼処理に割当てプロセスを再割当てするように構成された論理をさらに備える、請求項34に記載の装置。
【請求項４６】
前記1つまたは複数の呼識別子は、共通の一時モバイルグループ識別子(TMGI)上にマッピングされる、請求項34に記載の装置。
【請求項４７】
マルチキャストサービスを介したグループ通信のための装置であって、
登録要求をユーザ機器(UE)からサーバに送るための手段であって、前記登録要求は、前記UEが関心を抱く1つまたは複数の通信グループを示し、場合によっては、グループ通信サービス用のサーバを登録する前記UEの意図を含む、手段と、
あらかじめ確立されたマルチキャストリソースが割り当てられた前記1つまたは複数の通信グループの組を示すメッセージを前記サーバから受信するための手段であって、前記あらかじめ確立されたマルチキャストリソースは、マルチメディアブロードキャスト/マルチキャストサービス(MBMS)ベアラを含む、手段と、
前記サーバから1つまたは複数の呼識別子を受信するための手段であって、前記1つまたは複数の呼識別子は、前記1つまたは複数の通信グループの前記組における各通信グループのグループ識別子にマッピングされる、手段と、
前記1つまたは複数の通信グループの前記組における各通信グループの前記グループ識別子への前記1つまたは複数の呼識別子のマッピングを記憶するための手段と、
前記1つまたは複数の通信グループの前記組に関する1つまたは複数のグループ呼セッションを維持するための手段とを備え、
前記サーバは、前記あらかじめ確立されたマルチキャストリソースに複数のグループ呼を割り当てる、装置。
【請求項４８】
マルチキャストサービスを介したグループ通信のための装置であって、
ユーザ機器(UE)から登録要求を受信するための手段であって、前記登録要求は、前記UEが関心を抱く1つまたは複数の通信グループを示す手段と、
前記UEが、あらかじめ確立されたグループ呼に関してプロビジョニングされていると判定するための手段と、
前記1つまたは複数の通信グループのグループ識別子を取り出すための手段と、
前記1つまたは複数の通信グループの組における各通信グループの前記グループ識別子に1つまたは複数の呼識別子をマッピングするための手段と、
前記1つまたは複数の通信グループの前記組および前記1つまたは複数のマッピングされた呼識別子を示すメッセージを前記UEに送るための手段と、
前記1つまたは複数のあらかじめ確立されたマルチキャストリソース上に複数のグループ呼を割り当てるための手段であって、前記1つまたは複数のあらかじめ確立されたマルチキャストリソースは、マルチメディアブロードキャスト/マルチキャストサービス(MBMS)ベアラを含む、手段とを備え、
前記UEは、前記1つまたは複数の通信グループの前記組に関する1つまたは複数のグループ呼セッションを維持する装置。
【請求項４９】
マルチキャストサービスを介したグループ通信のための非一時的コンピュータ可読記憶媒体であって、
登録要求をユーザ機器(UE)からサーバに送るための少なくとも1つの命令であって、前記登録要求は、前記UEが関心を抱く1つまたは複数の通信グループを示し、場合によっては、グループ通信サービス用のサーバを登録する前記UEの意図を含む、命令と、
あらかじめ確立されたマルチキャストリソースが割り当てられた前記1つまたは複数の通信グループの組を示すメッセージを前記サーバから受信するための少なくとも1つの命令であって、前記あらかじめ確立されたマルチキャストリソースは、マルチメディアブロードキャスト/マルチキャストサービス(MBMS)ベアラを含み、前記あらかじめ確立されたマルチキャストリソースは、マルチメディアブロードキャスト/マルチキャストサービス(MBMS)ベアラを含む、手段前記あらかじめ確立されたマルチキャストリソースに複数のグループ呼が割り当てられる、命令と、
前記サーバから1つまたは複数の呼識別子を受信するための少なくとも1つの命令であって、前記1つまたは複数の呼識別子は、前記1つまたは複数の通信グループの前記組における各通信グループのグループ識別子にマッピングされる、命令と、
前記1つまたは複数の通信グループの前記組における各通信グループの前記グループ識別子への前記1つまたは複数の呼識別子のマッピングを記憶するための少なくとも1つの命令と、
前記1つまたは複数の通信グループの前記組に関する1つまたは複数のグループ呼セッションを維持するための少なくとも1つの命令とを含み、前記サーバは、複数のグループ呼を前記あらかじめ確立されたマルチキャストリソースに割り当てる、
非一時的コンピュータ可読記憶媒体。
【請求項５０】
マルチキャストサービスを介したグループ通信のための非一時的コンピュータ可読記憶媒体であって、
ユーザ機器(UE)から登録要求を受信するための少なくとも1つの命令であって、前記登録要求は、前記UEが関心を抱く1つまたは複数の通信グループを示す、命令と、
前記UEが、あらかじめ確立されたグループ呼に関してプロビジョニングされていると判定するための少なくとも1つの命令と、
前記1つまたは複数の通信グループのグループ識別子を取り出すための少なくとも1つの命令と、
前記1つまたは複数の通信グループの組における各通信グループの前記グループ識別子に1つまたは複数の呼識別子をマッピングするための少なくとも1つの命令と、
前記1つまたは複数の通信グループの前記組および前記1つまたは複数のマッピングされた呼識別子を示すメッセージを前記UEに送るための少なくとも1つの命令と、
前記1つまたは複数のあらかじめ確立されたマルチキャストリソース上に複数のグループ呼を割り当てるための少なくとも1つの命令であって、前記1つまたは複数のあらかじめ確立されたマルチキャストリソースは、マルチメディアブロードキャスト/マルチキャストサービス(MBMS)ベアラを含む、命令とを含み、
前記UEは、前記1つまたは複数の通信グループの前記組に関して1つまたは複数のグループ呼セッションを維持する、
非一時的コンピュータ可読記憶媒体。